(57)【要約】【課題】印刷用紙の発行及び回収を円滑に行うことができる印刷物発行装置を提供する。【解決手段】印刷用紙Ｐに印刷を施し、送り出す印刷部２０と、正逆回転可能とされ、印刷部２０によって送り出されて第一方向Ｄ１に向かって搬送される印刷用紙Ｐを挟持しながら正回転することで該印刷用紙Ｐを第一方向Ｄ１に交差する第二方向Ｄ２に向かって送り出す搬送ローラ部３０と、該搬送ローラ部３０の第二方向Ｄ２後方側に設けられ、印刷用紙Ｐを収容可能とされた回収部５５と、印刷部２０により送り出された印刷用紙Ｐを第一方向Ｄ１に案内するとともに、搬送ローラ部３０と回収部５５との間に連通路９６を形成するガイド板とを設ける。【選択図】図１
2013173306.tif 000002
【特許請求の範囲】
【請求項１】
印刷用紙に印刷を施し、該印刷用紙を送り出す印刷部と、
正逆回転可能とされ、前記印刷部によって送り出されて第一方向に向かって搬送される前記印刷用紙を挟持しながら正回転することで該印刷用紙を前記第一方向に交差する第二方向に向かって送り出す搬送ローラ部と、
該搬送ローラ部の前記第二方向後方側に設けられ、前記印刷用紙を収容可能とされた回収部と、
前記印刷部により送り出された前記印刷用紙を前記第一方向に案内するとともに、前記搬送ローラ部と前記回収部との間に連通路を形成するガイド板と、を備えることを特徴とする印刷物発行装置。
【請求項２】
前記ガイド板は、
前記印刷部により送り出された前記印刷用紙に当接可能とされて該印刷用紙を前記第一方向に案内する第一案内面と、
前記搬送ローラ部の逆回転により該搬送ローラ部から送り出された前記印刷用紙に当接可能とされて、該印刷用紙を第二方向後方側に案内する第二案内面と、を有することを特徴とする請求項１に記載の印刷物発行装置。
【請求項３】
前記印刷部と前記搬送ローラ部との間に設けられて、前記印刷用紙を切断する切断部と、
前記搬送ローラ部の駆動を制御する制御装置とをさらに備え、  
該制御装置は、前記印刷用紙の回収指令が入力された際に前記搬送ローラ部を正回転させ、前記切断部によって切断された前記印刷用紙の後端が前記ガイド板の前端と前記搬送ローラ部における前記印刷物の挟持箇所との間に到達した際に、前記搬送ローラ部の駆動を前記正回転から前記逆回転に切り替えることを特徴とする請求項１又は２に記載の印刷物発行装置。
【発明の詳細な説明】
【技術分野】
【０００１】
本発明は、印刷用紙に印刷を施して発行する印刷物発行装置に関する。
【背景技術】
【０００２】
例えば有料道路や有料駐車場等の有料施設の料金所に設けられた料金自動収受機には、利用者の領収書発行ボタンの押下によって印刷用紙に印刷を施し、領収書として発行する印刷物発行装置が搭載されている（例えば特許文献１参照）。
【０００３】
このような印刷物発行装置では、まず、印字ヘッド及びプラテンローラからなる印刷部が印刷用紙に印刷を施しながら送り出す。印刷後の印刷用紙は、一対のローラからなる搬送ローラ部によって用紙排出口に向かって搬送されるとともに、印刷部と搬送ローラ部との間に配置されたカッター等の切断部によって印刷用紙が所定の長さに切断される。これにより、利用者が印刷後の印刷用紙である領収書を用紙排出口から受け取ることができるようになっている。
【０００４】
ここで、料金自動収受機の利用者が領収書発行ボタンを押下するものの、発行される領収書を受け取ることなく去ってしまった場合、即ち、不渡し領収書が発生した場合には、当該領収書を後の利用者が誤って受け取ってしまうおそれがある。これを回避するために、不渡し領収書が発生した際には有料施設の管理者が当該不渡し領収書を回収しなければならない。
【０００５】
これに対して例えば特許文献２には、用紙排出口に残存した印刷用紙を回収する機構を備えた印刷物発行装置が開示されている。この印刷物発行装置では、印刷用紙の不渡しが検知された際に搬送ローラ部が逆回転し、当該印刷用紙を回収箱に導くことで該印刷用紙を回収することができるようになっている。
【先行技術文献】
【特許文献】
【０００６】
【特許文献１】特開２００９−１５７９２０号公報
【特許文献２】特開平８−２６８６３８号公報
【発明の概要】
【発明が解決しようとする課題】
【０００７】
しかしながら上記特許文献２に記載の印刷物発行装置では、用紙排出口に向かって印刷用紙を搬送する搬送ローラ部の手前にこれら搬送ローラ部に印刷用紙を導くガイド等が存在しないため、印刷部によって印刷された印刷用紙を搬送ローラ部に確実に導くことができないおそれがある。
一方、上記ガイドを設けた場合であっても、当該ガイドが印刷用紙の回収の妨げになってしまっては紙詰まり等を生じさせるおそれがある。
【０００８】
本発明は上記課題に鑑みてなされたものであって、印刷用紙の発行及び回収を円滑に行うことができる印刷物発行装置を提供することを目的とする。
【課題を解決するための手段】
【０００９】
上記課題を解決するため、本発明は以下の手段を提供している。
即ち、本発明に係る印刷物発行装置は、印刷用紙に印刷を施し、該印刷用紙を送り出す印刷部と、正逆回転可能とされ、前記印刷部によって送り出されて第一方向に向かって搬送される前記印刷用紙を挟持しながら正回転することで該印刷用紙を前記第一方向に交差する第二方向に向かって送り出す搬送ローラ部と、該搬送ローラ部の前記第二方向後方側に設けられ、前記印刷用紙を収容可能とされた回収部と、前記印刷部により送り出された前記印刷用紙を前記第一方向に案内するとともに、前記搬送ローラ部と前記回収部との間に連通路を形成するガイド板と、を備えることを特徴とする。
【００１０】
このような特徴の印刷物発行装置によれば、印刷部によって印刷された印刷用紙はガイド板によって第一方向に案内されることで該印刷用紙を搬送ローラ部に確実に導くことができる。
また、印刷用紙の不渡しが発生した際には、搬送ローラ部を逆回転させると、該搬送ローラ部に挟持された印刷用紙が第二方向後方側に搬送される。これにより印刷用紙は、ガイド板によって形成された連通路を経由して搬送ローラ部の第二方向後方側に設けられた回収部に導かれる。
【００１１】
また、本発明に係る印刷物発行装置において、前記ガイド板は、前記印刷部により送り出された前記印刷用紙に当接可能とされて該印刷用紙を前記第一方向に案内する第一案内面と、前記搬送ローラ部の逆回転により該搬送ローラ部から送り出された前記印刷用紙に当接可能とされて、該印刷用紙を第二方向後方側に案内する第二案内面と、を有することが好ましい。
【００１２】
これにより、ガイド板の第一案内面によって印刷用紙を第一方向に案内することができ、該印刷用紙を搬送ローラ部に確実に導くことができる。一方、搬送ローラ部の逆回転時には、印刷用紙がガイド板の第二案内面によって案内されることで、該印刷用紙を回収部に確実に導くことができる。
【００１３】
さらに、本発明に係る印刷物発行装置は、前記印刷部と前記搬送ローラ部との間に設けられて、前記印刷用紙を切断する切断部と、前記搬送ローラ部の駆動を制御する制御装置とをさらに備え、該制御装置は、前記印刷用紙の回収指令が入力された際に前記搬送ローラ部を正回転させ、前記切断部によって切断された前記印刷用紙の後端が前記ガイド板の前端と前記搬送ローラ部における前記印刷物の挟持箇所との間に到達した際に、前記搬送ローラ部の駆動を前記正回転から前記逆回転に切り替えることが好ましい。
【００１４】
これによって、切断部によって切断された印刷用紙がガイド板に引っ掛かってしまうことなく、該印刷用紙を円滑に回収箱に導入することができる。即ち、搬送ローラ部が逆回転する際には、印刷用紙の後端がガイド板の前端よりも搬送ローラ部における印刷物の挟持箇所側に位置するため、ガイド板と印刷用紙との干渉を回避することができる。したがって、円滑な回収動作を行うことが可能となる。
【発明の効果】
【００１５】
本発明に係る印刷物発行装置によれば、ガイド板によって印刷用紙を搬送ローラ部に確実に導くことができる一方、印刷用紙の回収時にはガイド板により形成された連通部を介して該印刷用紙を回収箱に確実に導くことができる。したがって、印刷用紙の発行及び回収を円滑に行うことが可能となる。
【図面の簡単な説明】
【００１６】
【図１】本発明の実施形態に係る印刷物発行装置の概略構成を示す模式側面図である。
【図２】図１における要部拡大図である。
【図３】本発明の実施形態に係る印刷物発行装置の機能ブロック図である。
【図４】本発明の実施形態に係る制御装置の処理のフローチャートである。
【図５】本発明の実施形態に係る印刷物発行装置による印刷用紙の回収動作を説明する図である。
【図６】本発明の実施形態に係る印刷物発行装置による印刷用紙の回収動作を説明する図である。
【発明を実施するための形態】
【００１７】
以下、本発明の実施形態について、図１から図６を参照して詳細に説明する。
図１に示す印刷物発行装置１００は、例えば有料道路や有料駐車場等の有料施設の料金所に設けられた料金自動収受機等に搭載されており、利用者の要求に応じて印刷用紙Ｐに印刷（印字）を施して領収書として発行する装置である。
【００１８】
図１に示すように、印刷物発行装置１００は、印刷用紙供給部１０、印刷部２０、搬送ローラ部３０、切断部４０、シャッター部５０、回収部５５、第一ガイド部６０、第二ガイド部７０、抜き取り検知センサ８１、不渡し検知センサ８２及び制御装置９０（図３参照）を備えている。
【００１９】
印刷用紙供給部１０は、印刷用紙Ｐを供給するものであって、印刷用紙Ｐを幾重にも巻き掛けることにより構成されたロール状をなすロール紙１１と、該ロール紙１１を回転可能に支持する軸部１２とを備えている。そして、ロール紙１１が軸部１２回りに回転することにより、該ロール紙１１の一部を印刷用紙Ｐとして下流側に向かって繰り出し可能とされている。なお、軸部１２は必ずしも設ける必要はなく、ロール紙１１を回転させながら印刷用紙Ｐを繰り出し可能であれば他の構成であってもよい。
【００２０】
印刷部２０は、印刷用紙供給部１０から繰り出された印刷用紙Ｐに印刷を施しながら送り出す役割を有している。この印刷部２０は、印刷用紙Ｐに印刷するサーマルヘッド等の印字ヘッド２１と、該印字ヘッド２１との間で印刷用紙Ｐを挟持しながら回転することで該印刷用紙Ｐを送り出すプラテンローラ２２とを有している。これら印字ヘッド２１及びプラテンローラ２２は、図３に示す印刷処理部９１からの信号に応じて印刷用紙Ｐへの印刷及び該印刷用紙Ｐの送り出しを行うようになっている。
本実施形態では、印刷用紙Ｐは、プラテンローラ２２によって水平面に平行な第一方向Ｄ１（図１の右側）に延びる第一搬送経路Ｒ１に沿って下流側に送り出される。
【００２１】
搬送ローラ部３０は、印刷部２０から送り出されて第一搬送経路Ｒ１に沿って進行する印刷用紙Ｐを、さらに下流側へと向かって搬送する役割を有している。より詳細には、搬送ローラ部３０は、第一方向Ｄ１に送り出されてきた印刷用紙Ｐを、第一方向Ｄ１に交差する第二方向Ｄ２に延びる第二搬送経路Ｒ２に沿って下流側に送り出すように構成されている。
【００２２】
この搬送ローラ部３０は、図１及び図２に示すように、互いに平行な軸線回りに回転可能とされた一対のローラから構成されている。本実施形態の搬送ローラ部３０は、回転駆動可能とされた駆動ローラ３１と、該駆動ローラ３１との間で印刷用紙Ｐを挟持可能とされ駆動ローラ３１に従動して回転する従動ローラ３２とから構成されている。
【００２３】
駆動ローラ３１と従動ローラ３２とは、これらの外周面同士の間に印刷用紙Ｐを挟持することができるように配置されている。なお、これら駆動ローラ３１と従動ローラ３２との外周面同士が最も近接する箇所、または互いに当接する箇所が、搬送ローラ部３０による印刷用紙Ｐの挟持箇所となる。
【００２４】
また、従動ローラ３２はその軸線が、駆動ローラ３１の軸線の直上よりも上流側、即ち、第一方向Ｄ１後方側に位置するように配置されている。これによって、駆動ローラ３１及び従動ローラ３２の軸線に直交する断面におけるこれら軸線同士を通過する直線Ｌは、鉛直方向から傾斜しており、本実施形態においては、上方に向かうに従って第一方向Ｄ１後方側に向かって傾斜している。
【００２５】
このような搬送ローラ部３０では、駆動ローラ３１及び従動ローラ３２の軸線に直交する断面において上記直線Ｌに直交し、かつ、印刷用紙Ｐの挟持箇所を通過する方向が該搬送ローラ部３０の送り出し方向、即ち、第二方向Ｄ２となる。この第二方向Ｄ２は、第一方向Ｄ１に向かうに従って上方に向かうように傾斜する方向となり、即ち、第二方向Ｄ２は第一方向Ｄ１とは交差する方向となる。この第二方向Ｄ２に沿って延びる第二搬送経路Ｒ２は、第一方向Ｄ１に沿って延びる第一搬送経路Ｒ１と、駆動ローラ３１及び従動ローラ３２の軸線に直交する断面において交差している。
なお、本実施形態では、第二方向Ｄ２は第一方向Ｄ１と鋭角をなすように交差している。
【００２６】
また、搬送ローラ部３０は正逆回転可能とされている。本実施形態においては駆動ローラ３１が正逆回転駆動可能とされており、該駆動ローラ３１が正回転する際には従動ローラ３２も正回転し、これによって搬送ローラ部３０としての正回転が行われる。また、駆動ローラ３１が逆回転する際には従動ローラ３２も逆回転し、これによって搬送ローラ部３０としての逆回転が行われる。
なお、搬送ローラ部３０の駆動、即ち、駆動ローラ３１の駆動は、図３に示す搬送ローラ駆動部９２によって行われる。
【００２７】
このようにして搬送ローラ部３０は、第一方向Ｄ１（第一方向Ｄ１前方側）に向かって搬送されてきた印刷用紙Ｐを挟持しながら正回転することによって、該印刷用紙Ｐを第二方向Ｄ２（第二方向Ｄ２前方側）に向かって、即ち、第二搬送経路Ｒ２に沿って送り出す一方、逆回転することによって該印刷用紙Ｐを第二方向Ｄ２後方側に送り出す構成とされている。
【００２８】
ここで、搬送ローラ部３０の逆回転によって第二方向Ｄ２後方側に送り出される印刷用紙Ｐが通過する径路は、搬送ローラ部３０の挟持箇所から第二方向Ｄ２後方側に向かって延びる回収搬送経路Ｒ４とされている。この回収搬送経路Ｒ４は、駆動ローラ３１及び従動ローラ３２の軸線に直交する断面において、第二搬送経路Ｒ２と同一直線上に位置しており、該第二搬送経路Ｒ２同様、第一搬送経路Ｒ１に交差している。
【００２９】
図１に示すように、切断部４０は、印刷用紙Ｐを所定の寸法に切断する役割を有しており、印刷部２０と搬送ローラ部３０との間に位置する第一搬送経路Ｒ１の上方に配置されている。これにより、切断部４０は、第一搬送経路Ｒ１に沿って進行する印刷用紙Ｐに該第一搬送経路Ｒ１の上方からカッターを接触させることによって、該印刷用紙Ｐを所定の寸法に切断する。なお、切断部４０としては、例えばロータリーカッター等を採用してもよい。
このような切断部４０は、図３に示す切断駆動部９３によって駆動されるように構成されている。
【００３０】
図１に示すように、シャッター部５０は、印刷物発行装置１００の最下流に設けられた用紙排出口９５を開閉する役割を有しており、例えばソレノイドや電動機等の駆動源によって開閉駆動可能とされている。通常時には用紙排出口９５を閉塞するシャッター部５０が該用紙排出口９５を開放することで利用者が印刷用紙Ｐを取り出し可能とされる。
【００３１】
図１及び図２に示すように、回収部５５は、印刷用紙Ｐを収容可能な箱状をなしており、当該箱状の開口部を上方に向けるようにして、搬送ローラ部３０の第二方向Ｄ２後方側に配置されている。これにより、第二方向Ｄ２後方側の延長線上に回収部５５の開口部が位置することになる。
【００３２】
図１及び図２に示すように、第一ガイド部６０は、印刷部２０と搬送ローラ部３０との間に位置する第一搬送経路Ｒ１における切断部４０の下流側に設けられており、印刷部２０から送り出されて第一搬送経路Ｒ１を進行する印刷用紙Ｐを第一方向Ｄ１に案内する役割を有している。
この第一ガイド部６０は、第一搬送経路Ｒ１の上方側に位置して該第一搬送経路Ｒ１に平行に延びる上側ガイド板６１と、第一搬送経路Ｒ１の下方側に位置して該第一搬送経路Ｒ１に平行に延びる下側ガイド板６２（ガイド板）とを有している。
【００３３】
下側ガイド板６２は、搬送ローラ部３０の第一方向Ｄ１後方側、即ち、上流側に、該搬送ローラ部３０と離間して配置されている。これにより、下側ガイド板６２と搬送ローラ部３０との間には、該搬送ローラ部３０と回収部５５との間を互いに連通させる連通路９６が形成されている。即ち、下側ガイド板６２が搬送ローラ部３０と離間して配置されることで、当該下側ガイド板６２により連通路９６が形成されている。そして、上記回収搬送経路Ｒ４はこの連通路９６を通過するように延在している。
【００３４】
この下側ガイド板６２は、その第一方向Ｄ１前方側、即ち前端側の部分が、上方に向かって傾斜するように屈曲した構成をなしている。このように屈曲した部分における第一搬送経路Ｒ１側を向く面は第一案内面６３とされており、回収搬送経路Ｒ４側を向く面は第二案内面６４とされている。なお、第二案内面６４は回収搬送経路Ｒ４と平行をなしている。この第二案内面６４と搬送ローラ部３０における駆動ローラ３１との間に上記連通路９６が形成されている。
【００３５】
詳しくは図２に示すように、第一案内面６３は、印刷部２０から搬送ローラ部３０に向かって進行する印刷用紙Ｐ、即ち、第一搬送経路Ｒ１に沿って進行する印刷用紙Ｐに下方から当接可能とされている。また、本実施形態では、第一案内面６３の前端が第一搬送経路Ｒ１上に位置するように下側ガイド板６２が配置されている。
これにより、印刷用紙Ｐが第一搬送経路Ｒ１から下方に外れてしまった場合には、第一案内面６３に印刷用紙Ｐが当接することにより、印刷用紙Ｐを第一搬送経路Ｒ１上に案内し、該印刷用紙Ｐの進行方向を修正する。
【００３６】
第二案内面６４は、搬送ローラ部３０から第二方向Ｄ２後方側に向かって送り出される印刷用紙Ｐ、即ち、回収搬送経路Ｒ４に沿って送り出される印刷用紙Ｐに対して上方から当接可能とされている。これにより、印刷用紙Ｐが回収搬送経路Ｒ４から上方に外れてしまった場合には、第二案内面６４に印刷用紙Ｐが当接することにより、印刷用紙Ｐを回収搬送経路Ｒ４上に案内し、該印刷用紙Ｐの進行方向を修正する。
【００３７】
図１及び図２に示すように、第二ガイド部７０は、搬送ローラ部３０とシャッター部５０との間に設けられており、搬送ローラ部３０から第二搬送経路Ｒ２に沿って第二方向Ｄ２に送り出された印刷用紙Ｐを用紙排出口９５に案内する役割を有している。
より詳細には、第二ガイド部７０は、第二搬送経路Ｒ２に沿って進行する印刷用紙Ｐを、第一搬送経路Ｒ１と平行に第一方向Ｄ１に向かって延びる第三搬送経路Ｒ３に沿って進行するように案内する役割を有している。本実施形態ではこの第三搬送経路Ｒ３の下流側に用紙排出口９５が位置している。
【００３８】
図１及び図２に示すように、抜き取り検知センサ８１は、印刷用紙Ｐが用紙排出口９５に到達した後、該印刷用紙Ｐが利用者によって抜き取られたか否かを検知する役割を有している。
本実施形態の抜き取り検知センサ８１としては、第三搬送経路Ｒ３の上方に設けられたレーザセンサを採用している。即ち、抜き取り検知センサ８１は、第三搬送経路Ｒ３上に印刷用紙Ｐが存在する際には、レーザが遮断されることによりオン信号を出力する一方、該第三搬送経路Ｒ３上に印刷用紙Ｐが存在しない際には、レーザが遮断されないことによりオフ信号を出力する。これによって、抜き取り検知センサ８１の出力がオン信号からオフ信号に変わることで、印刷用紙Ｐが利用者によって抜き取られたことを検知することができる。
【００３９】
なお、例えば抜き取り検知センサ８１として、第一搬送路Ｒ１の上方に配置された発光器と第一搬送路Ｒ１の下方に配置された受光器とを設けた構成を採用してもよい。この場合、抜き取り検知センサ８１は、発光器からの光を受光器が受光することで、オフ信号を出力する一方、発光器からの光を受光器が受光不可となることによりオン信号を出力する。
【００４０】
図１及び図２に示すように、不渡し検知センサ８２は、第一搬送経路Ｒ１の上方に配置されており、第一ガイド部６０における下側ガイド板６２の前端（下側ガイド板６２の第一方向Ｄ１前方側の端部）と搬送ローラ部３０の挟持箇所との間の区間に印刷用紙Ｐが存在するか否かを検知している。
この不渡し検知センサ８２としては、例えばレーザセンサを採用している。即ち、不渡し検知センサ８２は、上記区間に印刷用紙Ｐが存在する際にはレーザが遮断されることによりオン信号を出力する一方、該区間に印刷用紙Ｐが存在しない際には、レーザが遮断されないことによりオフ信号を出力するようになっている。
【００４１】
なお、例えば不渡し検知センサ８２として、第一搬送路Ｒ１の上方に配置された発光器と第一搬送路Ｒ１の下方に配置された受光器とを設けた構成を採用してもよい。この場合、不渡し検知センサ８２は、発光器からの光を受光器が受光することで、オフ信号を出力する一方、発光器からの光を受光器が受光不可となることによりオン信号を出力する。
【００４２】
図３に示すように、制御装置９０は、印刷処理部９１、搬送ローラ駆動部９２、切断駆動部９３と接続されており、これらを制御可能に構成されている。即ち、この制御装置９０は、発行指令、回収指令及び不渡し検知センサ８２からの入力に基づいてこれら印刷処理部９１、搬送ローラ駆動部９２、切断駆動部９３を制御するように構成されている。
【００４３】
印刷処理部９１は、制御装置９０からの信号に基づいて、印刷部２０に印字ヘッド２１による印刷部２０への印刷及びプラテンローラ２２による印刷用紙Ｐの送り出しを行わせる。
また、搬送ローラ駆動部９２は、制御装置９０からの信号に基づいて該搬送ローラ部３０の正逆回転駆動させる。特に、本実施形態の搬送ローラ駆動部９２は、駆動ローラ３１の正逆回転駆動を制御している。
さらに、切断駆動部９３は、切断部４０の駆動を制御しており、制御装置９０からの信号に基づいて所定のタイミングで切断部４０を駆動させる。切断部４０はこの駆動によって印刷用紙Ｐを切断する。
【００４４】
次に、上記構成の印刷物発行装置１００による領収書（印刷済みの印刷用紙Ｐ）の発行動作について説明する。
利用者が図示しない領収書発行ボタンを押すと、これに基づいて領収書の発行指令が制御装置９０に入力される。すると、制御装置９０は、印刷処理部９１に対して信号を出力し、この指令に基づいて印刷処理部９１が印刷部２０を駆動する。これにより、印刷部２０は、印刷用紙Ｐに対して印刷ヘッド２１による印刷を施しながら、プラテンローラ２２を駆動させることにより印刷用紙Ｐを送り出す。また、制御装置９０は搬送ローラ駆動部９２に信号を出力し、これによって該搬送ローラ部３０が正回転させられる。
【００４５】
このように印刷部２０から送り出された印刷用紙Ｐは、第一ガイド部６０に案内されながら第一搬送経路Ｒ１に沿って進行する。この際、印刷用紙Ｐが第一搬送経路Ｒ１から下方に外れてしまったとしても、下側ガイドの第一案内面６３によって案内されることで、第一搬送経路Ｒ１上に位置修正される。
【００４６】
このように第一搬送経路Ｒ１上を第一方向Ｄ１に向かって進行される印刷用紙Ｐの前端が、下側ガイド板６２の前端と搬送ローラ部３０による挟持箇所との間における不渡し検知センサ８２の検知位置に到達すると、不渡し検知センサ８２がオンとなる。その後、印刷用紙Ｐは、正回転する搬送ローラ部３０に挟持されることで第二搬送経路Ｒ２に沿って第二方向Ｄ２に送り出される。そして、このように第二方向Ｄ２に送り出された印刷用紙Ｐは、第二ガイド部７０によって案内されることで第三搬送経路Ｒ３に沿って進行する。この際、印刷用紙Ｐの前端が抜き取り検知センサ８１の検知位置に到達することで該抜き取り検知センサ８１がオンとなる。
【００４７】
また、制御装置９０は、所定のタイミングで切断駆動部９３に信号を送出し、これにより切断駆動部９３がカッターを駆動させ、印刷用紙Ｐを所定の寸法に切断する。このように所定の寸法とされた印刷用紙Ｐが、シャッター部５０により開放状態とされた用紙排出口９５に到達することで領収書の発行が完了し、該用紙排出口９５から利用者が領収書を受け取り可能となる。
なお、この際、印刷用紙Ｐは、搬送ローラ部３０により挟持された状態で該搬送ローラ部３０により不渡し検知センサ８２の検知位置から外れない位置まで送り出されることが好ましい。これによって、印刷用紙Ｐは搬送ローラ部３０により保持されるため、例えば印刷用紙Ｐの自然落下や風等による紛失を回避することができる。
【００４８】
ここで、上記のように領収書を発行した際であっても、利用者が領収書を受け取らずに去ってしまう場合もあり得る。このような場合には、印刷物発行装置１００が回収動作を行うことで領収書を回収する。以下、この回収動作について図４に示すフローチャートを参照して説明する。
【００４９】
回収動作は、回収指令が制御装置９０に入力されることで開始される（ステップＳ１）。この回収指令は、例えば図示しない回収ボタンを押下することで制御装置９０に入力される。
また、この他、例えば印刷用紙Ｐが第三搬送経路Ｒ３に残存することで抜き取り検知センサ８１のオン状態が継続され、かつ、例えば印刷物発行装置１００外部に設けられた車両発進検知器により利用者が搭乗する車両が発進したことを条件として、回収指令が制御装置９０に入力される構成であってもよい。
また、抜き取り検知センサ８１のオン状態の継続時間が、所定時間を超えた際に回収指令が制御装置９０に入力される構成であってもよい。
【００５０】
続いて回収指令の入力に基づいて制御装置９０が搬送ローラ駆動部９２に信号を送り、これに基づいて搬送ローラ駆動部９２が搬送ローラ部３０を正回転させる（ステップＳ２）。これによって、印刷用紙Ｐは下流側へと向かって、即ち、用紙排出口９５へと向かって送り出される。
【００５１】
そして、このように印刷用紙Ｐが送り出された結果、図５に示すように、印刷用紙Ｐの後端が不渡し検知センサ８２の検知位置に到達して該印刷用紙Ｐが不渡し検知センサ８２の検出位置から外れると、即ち、切断部４０の切断により形成された印刷用紙Ｐの後端が不渡し検知センサ８２の検出位置よりも下流側に到達すると、該不渡し検知センサ８２がオフとなる。これによって不渡し検知センサ８２から制御装置９０にオフ信号が入力される（ステップＳ３）。
【００５２】
すると、制御装置９０は、不渡し検知センサ８２からのオフ信号に基づいて搬送ローラ部３０を逆回転させ（ステップＳ４）、即ち、搬送ローラ部３０の回転を正回転から逆回転に切り替える。すると、印刷用紙Ｐは、図６に示すように、搬送ローラ部３０から第二方向Ｄ２後方側へと向かって送り出されることにより、搬送ローラ部３０と回収部５５との間の連通路９６を通過する回収搬送経路Ｒ４に沿って進行する。この際、当該回収搬送経路Ｒ４から印刷用紙Ｐが上方に外れてしまった場合であっても、下側ガイド板６２の第二案内面６４に印刷用紙Ｐが当接して案内されることで、該印刷用紙Ｐが回収搬送経路Ｒ４上に位置修正される。
【００５３】
そして、印刷用紙Ｐが回収搬送経路Ｒ４上を第二方向Ｄ２に進行した結果、印刷用紙Ｐが回収部５５に導かれて、該回収部５５に印刷用紙Ｐが収容される。これによって、印刷物発行装置１００による領収書の回収動作が完了する。
【００５４】
以上のような印刷物発行装置１００によれば、印刷部２０によって印刷された印刷用紙Ｐを、第一ガイド部６０、特に下側ガイド板６２によって第一方向Ｄ１に案内することができるため、該印刷用紙Ｐを搬送ローラ部３０に確実に導くことができる。
即ち、印刷用紙供給部１０から繰り出される印刷用紙Ｐはロール紙１１として巻かれていたため、湾曲することにより第一搬送経路Ｒ１から外れてしまう場合があるが、第一ガイド部６０における上側ガイド板６１及び下側ガイド板６２によって当該印刷用紙Ｐを第一方向Ｄ１に案内することができる。
【００５５】
また、印刷用紙Ｐの不渡しが発生した際には、搬送ローラ部３０を逆回転させると該搬送ローラ部３０に挟持された印刷用紙Ｐが第二方向Ｄ２後方側に搬送される。これにより印刷用紙Ｐは、下側ガイド板６２によって形成された連通路９６を経由して搬送ローラ部３０の第二方向Ｄ２後方側に設けられた回収部５５に導かれる。
即ち、本実施形態の印刷物発行装置１００によれば、下側ガイド板６２によって印刷用紙Ｐを搬送ローラ部３０に確実に導くことができる一方、印刷用紙Ｐの回収時には下ガイド板により形成された連通部を介して該印刷用紙Ｐを回収箱に確実に導くことができる。したがって、印刷用紙Ｐの発行及び回収を円滑に行うことが可能となる。
【００５６】
また、下側ガイド板６２は、印刷部２０から送り出された印刷用紙Ｐに下側から当接可能とされて該印刷用紙Ｐを第一方向Ｄ１に案内する第一案内面６３を有しているため、該印刷用紙Ｐが第一搬送経路Ｒ１から下方に外れてしまった場合であっても、印刷用紙Ｐを第一方向Ｄ１に案内することができ、該印刷用紙Ｐを搬送ローラ部３０に確実に導くことが可能となる。
【００５７】
さらに、下側ガイド板６２は、搬送ローラ部３０から第二方向Ｄ２後方側に送り出された印刷用紙Ｐに当接可能とされて該印刷用紙Ｐを第二方向Ｄ２後方側に案内する第二案内面６４とを有しているため、印刷用紙Ｐが回収搬送経路Ｒ４から上方に外れてしまった場合であっても、該印刷用紙Ｐを第二案内面６４によって案内することで、該印刷用紙Ｐを回収部５５に確実に導くことができる。
【００５８】
また、本実施形態では、回収動作時に、まず印刷用紙Ｐを下流側に送り出し、該印刷用紙Ｐの後端が下側ガイド板６２の前端と搬送ローラ部３０による挟持箇所との間に到達した際に、該搬送ローラ部３０を逆回転させることとしているため、搬送ローラ部３０の逆回転により第二方向Ｄ２後方側に進行する印刷用紙Ｐがガイド板に引っ掛かってしまうことを回避できる。これによって、印刷用紙Ｐを円滑に回収箱に導入することができる。
即ち、搬送ローラ部３０が逆回転する際には、印刷用紙Ｐの後端が下側ガイド板６２の前端よりも搬送ローラ部３０における印刷物の挟持箇所側に位置するため、下側ガイド板６２が印刷用紙Ｐに干渉することはない。これにより、円滑な回収動作を行うことが可能となる。
【００５９】
以上、本発明の実施の形態について説明したが、本発明はこれに限定されることなく、その発明の技術的思想を逸脱しない範囲で適宜変更可能である。
例えば、実施形態では、第二方向Ｄ２が第一方向Ｄ１と鋭角をなすように搬送ロール部が配置されていたが、第二方向Ｄ２が第一方向Ｄ１と鈍角をなしていてもよいし、直角をなしていてもよい。即ち、第二方向Ｄ２は第一方向Ｄ１と交差する異なる方向とされていればよい。
【００６０】
また、実施形態の搬送ロール部は、駆動ローラ３１の上方に従動ローラ３２が配置された構成としたが、従動ローラ３２の上方に駆動ローラ３１が配置された構成であってもよい。また、駆動ローラ３１と従動ローラ３２との軸線が互いに水平面上に位置する構成であってもよい。さらに、一対のローラの両方を駆動ローラ３１としてもよい。
【００６１】
さらに、実施形態では、プラテンローラ２２及び搬送ローラ部３０によって印刷用紙Ｐを送り出す構成としたが、他のローラが印刷用紙Ｐの搬送経路に配置されていてもよい。例えば、印刷部２０と搬送ローラ部３０との間に他のローラが配置されていてもよい。この場合、当該他のローラは、第一方向Ｄ１に向かって印刷用紙Ｐを送り出す構成とされていることが好ましい。
【符号の説明】
【００６２】
１０  印刷用紙供給部
１１  ロール紙
１２  軸部
２０  印刷部
２１  印字ヘッド
２２  プラテンローラ
３０  搬送ローラ部
３１  駆動ローラ
３２  従動ローラ
４０  切断部
５０  シャッター部
５５  回収部
６０  第一ガイド部
６１  上側ガイド板
６２  下側ガイド板
６３  第一案内面
６４  第二案内面
７０  第二ガイド部
８１  抜き取り検知センサ
８２  不渡し検知センサ
９０  制御装置
９１  印刷処理部
９２  搬送ローラ駆動部
９３  切断駆動部
９５  用紙排出口
９６  連通路
１００       印刷物発行装置
Ｄ１  第一方向
Ｄ２  第二方向
Ｒ１  第一搬送経路
Ｒ２  第二搬送経路
Ｒ３  第三搬送経路
Ｒ４  回収搬送経路
Ｌ    直線
【図１】
2013173306.tif 000003
【図２】
2013173306.tif 000004
【図３】
2013173306.tif 000005
【図４】
2013173306.tif 000006
【図５】
2013173306.tif 000007
【図６】
2013173306.tif 000008